(57)【要約】【課題】レベル本体を手で持たなくとも垂直度および水平度を測定することができ、ドライバー等でネジを締め付ける作業を両手で行えるようにした水準器を提供する。【解決手段】透明の合成樹脂製とした略直方体形状のレベル本体１の内部に水平度を測定するための透明の気泡管部２を水平方向に設け、前記レベル本体１に、壁面に取り付ける直方体形状のコンセント本体１１の両側面１１ａを、弾性力をもって挟持する挟持体６を設けたものとしている。【選択図】    図１
2011164067.tif 000002
【特許請求の範囲】
【請求項１】
透明の合成樹脂製とした略直方体形状のレベル本体（１）の内部に水平度を測定するための透明の気泡管部（２）を水平方向に設け、前記レベル本体（１）に、壁面に取り付ける直方体形状のコンセント本体（１１）の両側面（１１ａ）を、弾性力をもって挟持する挟持体（６）を設けたことを特徴とする水準器。
【請求項２】
透明の合成樹脂製とした略直方体形状のレベル本体（１）の内部に垂直度を測定するための透明の気泡管部（２）を垂直方向に設け、前記レベル本体（１）に、壁面に取り付ける直方体形状のコンセント本体（１１）の両側面（１１ａ）を、弾性力をもって挟持する挟持体（６）を設けたことを特徴とする水準器。
【請求項３】
透明の合成樹脂製とした略直方体形状のレベル本体（１）の内部に水平度、垂直度を測定するための透明の気泡管部（２、２）を互いに直交する方向に設け、前記レベル本体（１）に、壁面に取り付ける直方体形状のコンセント本体（１１）の両側面（１１ａ）を、弾性力をもって挟持する挟持体（６）を設けたことを特徴とする水準器。
【請求項４】
前記挟持体（６）を、前記レベル本体（１）に着脱自在に装着できるものとしたことを特徴とする請求項１〜３の何れかに記載の水準器。
【請求項５】
前記挟持体（６）を、弾性を有する素材からなり、略直方体形状としており、正面壁（６ａ）、背面壁（６ｂ）、上面壁（６ｃ）又は下面壁（６ｄ）、両側面壁（６ｅ、６ｅ）を有し、内部を嵌込凹部（６ｆ）としており、この嵌込凹部（６ｆ）にレベル本体（１）の上部又は下部を嵌め込むようにしたことを特徴とする請求項１〜４の何れかに記載の水準器。
【請求項６】
前記挟持体（６）の背面壁（６ｂ）の両端に、前記コンセント本体（１１）の両側面（１１ａ）の上部又は下部を弾性力をもって挟持する一対の挟持部（７）を設けたことを特徴とする請求項１〜５の何れかに記載の水準器。
【発明の詳細な説明】
【技術分野】
【０００１】
この発明は、住宅、オフィスビルなどの建築物の壁面等に、コンセント取付枠及びコンセント等を正確な向きに取り付けるために用いられる水準器に関するものである。
【背景技術】
【０００２】
従来、この種の水準器としては、例えば、図２５、２６に示したようなものが存在する。この水準器は、壁面に、コンセント設置穴や電源スイツチ穴のように寸法が規格化されている角穴を正確に穿設するに際して作業能率を大幅に高めることを可能とするとしており、以下のような構成としている。
【０００３】
先ず、この水準器は、正面２１ａの短寸方向寸法が５０〜５５ｍｍ、長手方向寸法が９５〜１００ｍｍで、所要の厚さをもつ透明合成樹脂製直方体形状のレベル本体２１の他の一面２１ｂに板状の磁石Ｍが固着されたものとしている。そして、前記レベル本体２１の内部に長手方向と短寸方向とに沿って水平、垂直位置測定用の透明な気泡管部２２、２２が相互に直交する方向に配置されたものとしている。各気泡管部２２は、レベル本体２１の内部に長手方向及び短寸方向に沿って中央部が僅かに膨らんだ穴２２ａが穿設されており、この穴２２ａの中央部両側に水平状態確認用マークとなる環状線２３が形成され且つその内部には気泡Ｂを残して液体Ｌが充填されて栓２４で密閉されている。
【０００４】
このような従来の水準器を用いて、壁面にコンセント部品２５を取り付ける場合には、図２７に示したように、壁面の角穴２６の縁部をコンセント部品２５とはさみ金具２７とで挟み、ネジＳで締結するときに、レベル本体２１をコンセント部品２５の側縁部に当接させる。そして、気泡管部２２の気泡Ｂの位置を確認しながら、ネジＳを締め付けることによりコンセント部品２５は正確に長手方向を垂直に保ったまま取り付けられる。次に、化粧カバー２８をコンセント部品２５に係止させたとき、図２８に示したように、この化粧カバー２８も適正姿勢となり、コンセント設置工事は完了するとしている（特許文献１）。
【先行技術文献】
【特許文献】
【０００５】
【特許文献１】特開平９−２１８０３７号公報
【発明の概要】
【発明が解決しようとする課題】
【０００６】
従来の水準器を用いて、壁面にコンセント部品２５を取り付ける場合、レベル本体２１を一方の手で持ち、垂直度および水平度を測定し、もう一方の手でドライバー等を持ち、このドライバー等でネジＳを締め付けなければならない。このドライバー等でネジＳを締め付けるには、ネジＳをコンセント部品２５のネジ穴に合わせたり、このネジＳのネジ頭にドライバー等に先端を合わせたりしなければならないが、これらの操作も片手で行わなければならないため、その作業が困難であったり、作業効率が悪くなるなどの問題点を有していた。
【０００７】
そこで、この発明は、上記従来の問題点を解決することをその課題としており、レベル本体を手で持たなくとも垂直度および水平度を測定することができ、ドライバー等でネジを締め付ける作業を両手で行えるようにした水準器を提供することを目的としてなされたものである。
【課題を解決するための手段】
【０００８】
そのため、この発明の水準器は、透明の合成樹脂製とした略直方体形状のレベル本体１の内部に水平度を測定するための透明の気泡管部２を水平方向に設け、前記レベル本体１に、壁面に取り付ける直方体形状のコンセント本体１１の両側面１１ａを、弾性力をもって挟持する挟持体６を設けたものとしている。
【０００９】
さらに、この発明の水準器は、透明の合成樹脂製とした略直方体形状のレベル本体１の内部に垂直度を測定するための透明の気泡管部２を垂直方向に設け、前記レベル本体１に、壁面に取り付ける直方体形状のコンセント本体１１の両側面１１ａを、弾性力をもって挟持する挟持体６を設けたものとしている。
【００１０】
また、この発明の水準器は、透明の合成樹脂製とした略直方体形状のレベル本体１の内部に水平度、垂直度を測定するための透明の気泡管部２、２を互いに直交する方向に設け、前記レベル本体１に、壁面に取り付ける直方体形状のコンセント本体１１の両側面１１ａを、弾性力をもって挟持する挟持体６を設けたものとしている。
【００１１】
そして、この発明の水準器は、前記挟持体６を、前記レベル本体１に着脱自在に装着できるものとしている。
【００１２】
さらに、この発明の水準器は、前記挟持体６を、弾性を有する素材からなり、略直方体形状としており、正面壁６ａ、背面壁６ｂ、上面壁６ｃ又は下面壁６ｄ、両側面壁６ｅ、６ｅを有し、内部を嵌込凹部６ｆとしており、この嵌込凹部６ｆにレベル本体１の上部又は下部を嵌め込むようにしている。
【００１３】
また、この発明の水準器は、前記挟持体６の背面壁６ｂの両端に、前記コンセント本体１１の両側面１１ａの上部又は下部を弾性力をもって挟持する一対の挟持部７を設けたものとしている。
【発明の効果】
【００１４】
この発明の水準器は、以上に述べたように構成されているので、レベル本体を手で持たなくとも、壁面に取り付ける直方体形状のコンセント本体に挟持させた状態にして、垂直度および水平度を測定することができので、ドライバー等でネジを締め付ける作業を両手で行えるようになり、その作業が簡単に行え、作業効率も良いものとなる。
【図面の簡単な説明】
【００１５】
【図１】この発明の水準器の第一実施形態を示す斜視図である。
【図２】図１に示すこの発明の水準器の正面図である。
【図３】図１に示すこの発明の水準器の平面図である。
【図４】図１に示すこの発明の水準器のレベル本体から挟持体を外した状態を示す斜視図である。
【図５】図１に示すこの発明の水準器のレベル本体の分解斜視図である。
【図６】この発明の水準器の第二実施形態を示す斜視図である。
【図７】図４に示すこの発明の水準器の正面図である。
【図８】図４に示すこの発明の水準器の平面図である。
【図９】図４に示すこの発明の水準器のレベル本体から挟持体を外した状態を示す斜視図である。
【図１０】図４に示すこの発明の水準器のレベル本体の分解斜視図である。
【図１１】この発明の水準器の第三実施形態を示す斜視図である。
【図１２】図１１に示すこの発明の水準器の正面面図である。
【図１３】図１１に示すこの発明の水準器の底面図である。
【図１４】この発明の水準器の第四実施形態を示す斜視図である。
【図１５】図１４に示すこの発明の水準器の分解斜視図である。
【図１６】この発明の水準器の第五実施形態を示す斜視図である。
【図１７】図１６に示すこの発明の水準器の分解斜視図である。
【図１８】市販されているＪＩＳ規格のコンセント部品の斜視図である。
【図１９】この発明の水準器の第一実施形態の使用状態を示す斜視図である。
【図２０】この発明の水準器の第一実施形態の使用状態を示す正面図である。
【図２１】この発明の水準器の第一実施形態の使用状態を示す平面図である。
【図２２】この発明の水準器の第三実施形態の使用状態を示す斜視図である。
【図２３】この発明の水準器の第四実施形態の使用状態を示す斜視図である。
【図２４】この発明の水準器の第五実施形態の使用状態を示す斜視図である。
【図２５】従来の水準器の一例を示す斜視図である。
【図２６】図２５に示す従来の水準器の正面図である。
【図２７】従来の水準器の使用状態を示す正面図である。
【図２８】従来の水準器を使用して壁面にコンセント部品を取り付け終わった状態を示す正面図である。
【発明を実施するための形態】
【００１６】
以下、この発明の水準器を実施するための形態を、図面に基づいて詳細に説明する。
【００１７】
この発明の水準器は、第一実施形態として、図１〜５に示したように、透明の合成樹脂製とした略直方体形状のレベル本体１の短手方向の内部に、水平度を測定するための透明の気泡管部２を水平方向に設けたものとしている。なお、この発明において「透明」とは、レベル本体１の内部に設けた気泡管部２が視認できたり、気泡管部２内の気泡Ｂが視認できる程度の透明度であればよい。
【００１８】
前記レベル本体１は、正面壁１ａ、背面壁１ｂ、上面壁１ｃ、下面壁１ｄ、両側面壁１ｅ、１ｅを有したものとしており、図示したものの実寸は、短手方向の寸法を３５〜４５ｍｍ、好ましくは４０ｍｍとし、長手方向の寸法を４５〜５５ｍｍ、好ましくは５０ｍｍとし、厚さを１０〜２０ｍｍ、好ましくは１５ｍｍとしているが、特に限定されるものではない。また、前記レベル本体１は、短手方向の寸法を前記した寸法のままにし、長手方向の寸法を短手方向の寸法より小さくして、短手方向と長手方向を逆にすることもできる。この場合は、前記気泡管部２をレベル本体１の内部に長手方向に向かって水平に設けたものとしている。
【００１９】
前記気泡管部２は、レベル本体１の一方の側面壁１ｅから内部にかけて水平方向に穿設されており、内方部の空間２ａと外方部の空間２ｂとが連設されたものとしており、内方部の空間２ａは中央部がわずかに膨らんだ円柱形状に形成しており、外方部の空間２ｂは内方部の空間２ａより少し径の大きい円柱形状に形成している。
【００２０】
前記気泡管部２の内方部の空間２ａは、中央部両側に水平状態を確認するためのマークとなる環状線３、３が設けられ、その空間２ａには気泡Ｂを残して液体Ｌを充填し、合成樹脂製の止栓４で密閉している。
【００２１】
前記気泡管部２の外方部の空間２ｂは、磁石Ｍを収納した合成樹脂製のキャップ５を充填して、このキャップ５の外周面５ｏを前記空間部２ｂの内周面２ｉに接着させ、さらに前記キャップ５の頭部面５ｈを前記レベル本体１の側面壁１ｅと面一になるようにしたものとしている。
【００２２】
そして、この発明の水準器は、前記レベル本体１の適当な個所に、壁面に取り付けるコンセント部品のうちのコンセント本体１１の両側面１１ａを挟持して、このコンセント本体１１に着脱自在に取り付けることができる挟持体６を設けている。前記挟持体６は、図示したものでは、レベル本体１の上部及び下部に設けたものとしている。このようにすると、レベル本体１をコンセント本体１１の両側面１１ａに安定した状態で挟持させておくことができる。さらに、前記挟持体６は、レベル本体１の上部又は下部の何れか一方に設けたものとしたり、レベル本体１の上部、中部及び下部に断続的に設けたり、連続的に設けたものとするなど、各種の形態とすることができる。
【００２３】
前記コンセント本体１１は、直方体形状としており寸法が規格化されており、短手方向の寸法を２８ｍｍとし、長手方向の寸法を６８ｍｍとしている。コンセント部品は、前記コンセント本体１１の他に、このコンセント本体１１を固着している取付プレート１２、この取付プレート１２をネジ止めするコンセントボックス１３、コンセント本体１１の周囲を目隠しするようにして覆う化粧カバー（図示せず）等からなる。
【００２４】
前記挟持体６は、ゴム弾性を有する合成樹脂、天然樹脂などの素材からなり、略直方体形状としており、正面壁６ａ、背面壁６ｂ、上面壁６ｃ又は下面壁６ｄ、両側面壁６ｅ、６ｅを有し、内部を嵌込凹部６ｆとしており、この嵌込凹部６ｆにレベル本体１の上部又は下部を嵌め込んで、このレベル本体１に着脱自在に装着できるものとしている。
【００２５】
前記挟持体６の嵌込凹部６ｆをレベル本体１の上部又は下部に嵌め込んだ場合に、この挟持体６の両側面壁６ｅ、６ｅと前記レベル本体１の上部又は下部の両側面壁１ｅ、１ｅとが面一になるように、前記レベル本体１の上部又は下部の両側面壁１ｅ、１ｅには、段差部１ｆ、１ｆを設けたものとしている。このようにすることにより、水準器の使用時の磁石体Ｍの機能が損なわれることがないものとなる。
【００２６】
前記挟持体６の背面壁６ｂは、前記コンセント本体１１の正面１１ｂの上部又は下部に接触するようにしており、この背面壁６ｂに両端には、前記コンセント本体１１の両側面１１ａの上部又は下部をゴム弾性力をもって挟持する一対の挟持部７を一体的に設けたものとしている。
【００２７】
前記挟持部７は、前記挟持体６の背面壁６ｂからそれぞれ鉤状に突設したものとしており、ゴム弾性力が強く作用するように、互いに対向する挟持面７ａを、先端側から基端側かけて広がるように傾斜した面としており、コンセント本体１１の両側面１１ａの上部又は下部を簡単に挟持することができ、使用後はこれらの個所から簡単に取り外せるようにしている。
【００２８】
この発明の水準器は、第二実施形態として、図６〜１０に示したように、透明の合成樹脂製とした略直方体形状のレベル本体１の長手方向の内部に、垂直度を測定するための透明の気泡管部２を垂直方向に設けたものとしている。そして、前記レベル本体１の上部及び下部には、壁面に取り付けるコンセント部品のうちのコンセント本体１１の両側面１１ａを挟持して、このコンセント本体１１に着脱自在に取り付けることができる挟持体６を設けている。前記挟持体６は、図示したものでは、前記レベル本体１の上部及び下部に設けたものとしているが、前記レベル本体１の上部又は下部の何れか一方に設けたものとしたり、レベル本体１の上部、中部及び下部に断続的に設けたり、連続的に設けたものとするなど、各種の形態とすることができる。
【００２９】
さらに、この発明の水準器は、第一、二実施形態の変形例として、図示していないが、透明の合成樹脂製とした直方体形状のレベル本体１の短手方向と長手方向の内部に、水平度、垂直度を測定するための透明の気泡管部２、２を互いに直交する方向に設けたものとしてもよい。そして、前記レベル本体１の上部及び／又は下部には、壁面に取り付けるコンセント部品のうちのコンセント本体１１の両側面１１ａを挟持して、このコンセント本体１１に着脱自在に取り付けることができる挟持体６を設けている。この実施形態においても、前記挟持体６は、レベル本体１の上部、中部及び下部に断続的に設けたり、連続的に設けたものとするなど、各種の形態とすることができる。
【００３０】
なお、これらの実施形態におけるレベル本体１、気泡管部２及び挟持体６は、図１〜５に示した実施形態のものと同様の構成にしている。
【００３１】
この発明の水準器は、第三実施形態として、図１１〜１３に示したように、透明の合成樹脂製とした略直方体形状のレベル本体１の長手方向の内部に、垂直度を測定するための透明の気泡管部２を水平方向に設けたものとしている。そして、前記レベル本体１の左右側部には、壁面に取り付けるコンセント部品のうちのコンセント本体１１の両側面１１ａを挟持して、このコンセント本体１１に着脱自在に取り付けることができる挟持体６を設けている。
【００３２】
前記気泡管部２は、レベル本体１の一方の側面壁１ｅから内部にかけて水平方向に穿設されており、その他の構成は第一、二実施形態のものと同様にしている。
【００３３】
前記挟持体６は、板バネからなり、挟持部７を一体的に設けたものとしており、前記レベル本体１の左右側面に設けたネジ穴８にネジＳで止めたものとしているが、他の固定手段を用いたものとしてもよい。
【００３４】
この発明の水準器は、第四実施形態として、図１４、１５に示したように、透明の合成樹脂製とした略直方体形状のレベル本体１の長手方向の内部に、垂直度を測定するための透明の気泡管部２を水平方向に設けたものとしている。そして、前記レベル本体１を包囲するようにして、壁面に取り付けるコンセント部品のうちのコンセント本体１１の両側面１１ａを挟持して、このコンセント本体１１に着脱自在に取り付けることができる挟持体６を設けている。
【００３５】
前記気泡管部２は、レベル本体１の一方の側面壁１ｅから内部にかけて水平方向に穿設されており、その他の構成は第一〜三実施形態のものと同様にしている。
【００３６】
前記挟持体６は、ゴム弾性を有する合成樹脂、天然樹脂などの素材からなり、略直方体形状としており、正面壁６ａ、背面壁６ｂ、上面壁６ｃ又は下面壁６ｄ、両側面壁６ｅ、６ｅを有し、覗き窓９を有した嵌入孔部６ｇを設けており、この嵌入孔部６ｇにレベル本体１の全体を嵌め込んで、このレベル本体１に着脱自在に装着できるものとしている。なお、前記挟持体６では、前記レベル本体１の気泡管部２の気泡Ｂを覗き窓９から確認できるようにしている。
【００３７】
前記挟持体６の背面壁６ｂは、前記コンセント本体１１の正面１１ｂの上部又は下部に接触するようにしており、この背面壁６ｂに両端には、前記コンセント本体１１の両側面１１ａの上部又は下部をゴム弾性力をもって挟持する一対の挟持部７を一体的に設けたものとしている。
【００３８】
前記挟持部７は、前記挟持体６の背面壁６ｂからそれぞれ鉤状に突設したものとしており、その他の構成は第一、二実施形態のものと同様にしている。
【００３９】
この発明の水準器は、第五実施形態として、図１６、１７に示したように、透明の合成樹脂製とした略直方体形状のレベル本体１の長手方向の内部に、垂直度を測定するための透明の気泡管部２を水平方向に設けたものとしている。そして、前記レベル本体１を左右から挟み込むようにして、壁面に取り付けるコンセント部品のうちのコンセント本体１１の両側面１１ａを挟持して、このコンセント本体１１に着脱自在に取り付けることができる挟持体６を設けている。
【００４０】
前記レベル本体１は、正面壁１ａ、背面壁１ｂ、上面壁１ｃ、下面壁１ｄ、両側面壁１ｅ、１ｅを有したものとしており、両側面壁１ｅにはそれぞれ嵌合穴１０を設けたものとしている。
【００４１】
前記気泡管部２は、レベル本体１の一方の側面壁１ｅから内部にかけて水平方向に穿設されており、外方部の空間２ｂが設けられておらず、その他の構成は第一〜三実施形態のものと同様にしている。
【００４２】
前記挟持体６は、ゴム弾性を有する合成樹脂、天然樹脂などの素材からなり、略コ字状に形成しており、両側壁６ｄの内面にはそれぞれ嵌合突起６ｈを設けたものとし、これら嵌合突起６ｈを前記レベル本体１の両側面壁１ｅの嵌合穴１０に嵌まり込むようにして、前記レベル本体１を保持できるようにしている。
【００４３】
前記挟持体６の背面壁６ｂは、前記コンセント本体１１の正面１１ｂの上部又は下部に接触するようにしており、この背面壁６ｂに両端には、前記コンセント本体１１の両側面１１ａの上部又は下部をゴム弾性力をもって挟持する一対の挟持部７を一体的に設けたものとしている。
【００４４】
前記挟持部７は、前記挟持体６の背面壁６ｂからそれぞれ鉤状に突設したものとしており、その他の構成は第一、二実施形態のものと同様にしている。
【００４５】
以上のように構成したこの発明の水準器は、壁面にコンセント部品を取り付ける場合には、次のようにして使用される。
【００４６】
先ず、第一実施形態のこの発明の水準器では、レベル本体１の背面壁１ｂをコンセント本体１１の正面に向けて押し付け、挟持体６の背面壁６ｂがコンセント本体１１の正面１１ｂに接触し、挟持体６の挟持部７がコンセント本体１１の両側面１１ａを挟持するようにする。なお、前記コンセント本体１１は、図１８に示したように、取付プレート１２に固着されている。この取付プレート１２には、コンセントボックス１３へネジ止めするため、ネジの外径よりも縦横に大きい止穴１４、１４を、コンセント本体１１の上方位置及び下方位置に設けている。また、コンセントボックス１３は、壁内部に埋設されており、壁面側に取付プレート１２の止穴１４、１４に対応する位置に、ネジの捩込み穴１５、１５を設けている。
【００４７】
そこで、前記取付プレート１２の止穴１４、１４にそれぞれネジＳを通し、コンセントボックス１３の捩込み穴１５、１５に前記ネジＳをドライバーで緩く捩じ込んで仮止めする。この仮止めした状態で、気泡管部２の気泡Ｂが丁度、環状線３、３の間にあるか確認する。
【００４８】
気泡Ｂが環状線３、３の間に丁度あればコンセント本体１１の水平度が確認でき、そのままネジＳをドライバーで締め付ければ、コンセント本体１１が長手方向に垂直を保った状態に取り付けられることになる。
【００４９】
気泡Ｂが環状線３、３の間に丁度なければ、コンセント本体１１を仮止めしたまま、その角度をずらして気泡が環状線３、３の間に丁度くるようにし、コンセント本体１１の水平度を確認してから、ネジＳをドライバーで締め付ければ、コンセント本体１１が長手方向に垂直を保った状態に取り付けられることになる。
【００５０】
したがって、第一実施形態のこの発明の水準器では、壁面にコンセント部品を取り付ける場合には、上記したようにレベル本体１はコンセント本体１１に挟持された状態になっているので、レベル本体１を一方の手で持つ必要がなく、ドライバーでのネジＳの仮止め操作や締め付け操作が両手で行えることになる。したがって、取付プレート１２の止穴１４、１４にネジＳを通したり、コンセントボックス１３の捩込み穴１５、１５にネジＳを捩じ込んだりする作業が簡単に行え、作業効率も悪くなるようなこともない。
【００５１】
また、第一実施形態のこの発明の水準器は、壁面にコンセント部品を取り付ける場合以外にも、気泡管部２の外方部の空間２ｂに収納した磁石Ｍにより、レベル本体１を金属面に吸着させることができるので、金属面を有した各種の物品の水平度を簡単に測定することができる。この場合、前記挟持体６は、レベル本体１に装着した状態のままにしておいても、レベル本体１から外した状態の何れにしてもよい。
【００５２】
なお、上記水準器の使用方法は、第一実施形態のものについて説明したが、他の実施形態のものについても、この実施形態のものに準じた使用をすることができる。
【符号の説明】
【００５３】
１  レベル本体
２  気泡管部
６  挟持体
６ａ  正面壁
６ｂ  背面壁
６ｃ  上面壁
６ｄ  下面壁
６ｅ  側面壁
６ｆ  嵌込凹部
７  挟持部
１１コンセント本体
１１ａ  側面
【図１】
2011164067.tif 000003
【図２】
2011164067.tif 000004
【図３】
2011164067.tif 000005
【図４】
2011164067.tif 000006
【図５】
2011164067.tif 000007
【図６】
2011164067.tif 000008
【図７】
2011164067.tif 000009
【図８】
2011164067.tif 000010
【図９】
2011164067.tif 000011
【図１０】
2011164067.tif 000012
【図１１】
2011164067.tif 000013
【図１２】
2011164067.tif 000014
【図１３】
2011164067.tif 000015
【図１４】
2011164067.tif 000016
【図１５】
2011164067.tif 000017
【図１６】
2011164067.tif 000018
【図１７】
2011164067.tif 000019
【図１８】
2011164067.tif 000020
【図１９】
2011164067.tif 000021
【図２０】
2011164067.tif 000022
【図２１】
2011164067.tif 000023
【図２２】
2011164067.tif 000024
【図２３】
2011164067.tif 000025
【図２４】
2011164067.tif 000026
【図２５】
2011164067.tif 000027
【図２６】
2011164067.tif 000028
【図２７】
2011164067.tif 000029
【図２８】
2011164067.tif 000030